(57)【特許請求の範囲】
【請求項１】
表面に指掛凹部を有するケーシングとこのケーシングの表面周囲に張り出しされるフランジ部とを備えてなる一組の引手本体が形成され、引手本体には戸の厚み方向へ突出する係入体とこの係入体の係入を受容する受穴とがそれぞれ対向して設けられてなる引手において、
フランジ部の裏面には指掛凹部の埋込側の左右方向の外径となる外壁と外壁の上下に対向して突設されて埋込側の上下方向の外径となるガイドポストとが設けられ、ガイドポストの一方には弾性を有する部材により受穴の径よりも大径に形成されるとともに戸の厚み方向に切り込みが設けられてなる係入体を備え、ガイドポストの他方には受穴が設けられることで一対の引手本体が同一形状に形成され、戸に穿設した貫通孔の両面からケーシングが嵌入されたときに外壁とガイドポストとで貫通孔の外径となると同時に係入体が受穴に侵入して部材の弾性力及び切り込みを介して縮径しつつ無段階で係入体と受穴とが弾性係止して組付けされる引手。
【請求項２】
表面に指掛凹部を有するケーシングとこのケーシングの表面周囲に張り出しされるフランジ部とを備えてなる引手本体と、表面に平面状のカバー部を有するとともに前記ケーシングの外径位置に対応して突設される複数のガイドポストを備えるカバー本体とから成り、引手本体とカバー本体とには戸の厚み方向へ突出する係入体とこの係入体の係入を受容する受穴とがそれぞれ対向して設けられ、
ガイドポストの一方には弾性を有する部材により受穴の径よりも大径に形成されるとともに戸の厚み方向に切り込みが設けられてなる係入体を備え、ガイドポストの他方には受穴が設けられ、戸に穿設した貫通孔にケーシングが嵌入されたときに指掛凹部の埋込側の外壁とガイドポストとで貫通孔の外径となると同時に引手本体とカバー本体とで係入体が受穴に侵入して部材の弾性力及び切り込みを介して縮径しつつ無段階で係入体と受穴とが弾性係止して組付けされる引手。
【請求項３】
係入体と受穴とが複数列設けられている請求項１又は３記載の引手。
【請求項４】
複数列設けられた係入体と受穴とがそれぞれケーシング又はカバー部
の対角に略対称形に設けられている請求項３記載の引手。
【発明の詳細な説明】
【０００１】
【発明の属する技術分野】
本発明は、建具や家具等の引戸や扉類に取り付けられる引手に関するものである。
【０００２】
【従来の技術】
従来引戸類に取り付けされる引手９０は、図１０に示されるように、表面に指掛凹部９２を有するケーシング９１と、その表面周囲に外方へ向かって張り出しされるフランジ部９３とを備えて構成されている。
【０００３】
上記引手９０の取り付けに際しては、引戸９４に掘込穴９５を設け、この掘込穴９５にケーシング９１を埋設し、指掛凹部９２の上壁９６と下壁９７とから掘込穴９５の側壁へとくぎ９８をそれぞれ打ち込みして固定していた。
【０００４】
【発明が解決しようとする課題】
ところで、くぎ９８を上壁９６と下壁９７とに垂直に打ち込みして取り付けする場合には、指掛凹部９２の上下寸法で金槌の打ち込みストロークが規制されるために、打ち込みに力を加えられないものであった。特に、上壁９６に向けて下側から打ち上げ作業することは、著しく面倒となるものであり、いずれにしても組付け作業に手間と時間とがかかるものであった。
【０００５】
また、打ち込み作業に際しては、指掛凹部９２から離れる前面側から斜めにくぎ９８を打ち込みがちとなるもので、斜め打ち込みしたときにはくぎ９８の頭部が上壁９６と下壁９７とから斜めに露出するおそれが避けられなかった。くぎ９８の頭部が僅かでも斜めに露出すると、使用者の指先に触れてしまう可能性があった。
【０００６】
さらに、引戸９４を継続使用すると、開閉時の柱等との衝撃の繰り返しによってくぎ９８が上壁９６と下壁９７とから早期に浮き出てくることがある。その結果、使用者の指先に触れるばかりか、引手９０が脱落することが懸念される。
【０００７】
くぎ９８に代えてねじを使用することもあるが、ねじ込みに際には、ドライバーが指掛凹部９２に規制されて斜めから使用されるもので、依然作業が面倒となるものであった。また、叙述と同様に斜めの露出と浮き出しとが避けられないものであった。
【０００８】
本発明は、このような事情に対処してなされたもので、引手を掘込穴に簡単にワンタッチで取り付けし、安全性を高めるようにした引手を提供することを目的とするものである。
【０００９】
【課題を解決するための手段】
この発明は、上記目的を達成するために創案された引手であって、請求項１において、表面に指掛凹部を有するケーシングとこのケーシングの表面周囲に張り出しされるフランジ部とを備えてなる一組の引手本体が形成され、引手本体には戸の厚み方向へ突出する係入体とこの係入体の係入を受容する受穴とがそれぞれ対向して設けられ、フランジ部の裏面には指掛凹部の埋込側の左右方向の外径となる外壁と外壁の上下に対向して突設されて埋込側の上下方向の外径となるガイドポストとが設けられ、ガイドポストの一方には弾性を有する部材により受穴の径よりも大径に形成されるとともに戸の厚み方向に切り込みが設けられてなる係入体を備え、ガイドポストの他方には受穴が設けられることで一対の引手本体が同一形状に形成され、戸に穿設した貫通孔の両面からケーシングが嵌入されたときに指掛凹部とガイドポストとで貫通孔の外径となると同時に係入体が受穴に侵入して部材の弾性力及び切り込みを介して縮径しつつ無段階で係入体と受穴とが弾性係止して組付けされる。
【００１０】
この手段によると、戸に穿設された貫通孔の両面から一組の引手本体双方のケーシングを貫通孔の内壁に沿って嵌入すると、指掛凹部の埋込側の左右方向の外径となる外壁と上下のガイドポストとで貫通孔に嵌め込みされる。係入体を対向して設けられた受穴に係入すると、切り込みによる弾性作用によって係入体が縮径し、戸の厚み具合に応じて無段階で係入するので、引戸の厚みに応じて隙間のない状態で組み付けされる。その結果、弾性作用によって貫通孔の上下において係止された状態で一組の引手本体が組付けされ、戸に取付けされる。
また、この手段によると、引手の取付時に引手本体の向きを上下反転させても戸の両面から引手が取付けされるうえに、引手の運搬、保管が簡素化される。
【００１１】
また、請求項２の引手において、表面に指掛凹部を有するケーシングとこのケーシングの表面周囲に張り出しされるフランジ部とを備えてなる引手本体と、表面に平面状のカバー部を有するとともに前記ケーシングの外径位置に対応して突設される複数のガイドポストを備えるカバー本体とから成り、引手本体とカバー本体とには戸の厚み方向へ突出する係入体とこの係入体の係入を受容する受穴とがそれぞれ対向して設けられ、ガイドポストの一方には弾性を有する部材により受穴の径よりも大径に形成されるとともに戸の厚み方向に切り込みが設けられてなる係入体を備え、ガイドポストの他方には受穴が設けられ、戸に穿設した貫通孔にケーシングが嵌入されたときに指掛凹部の埋込側の外壁とガイドポストとで貫通孔の外径となると同時に引手本体とカバー本体とで係入体が受穴に侵入して部材の弾性力及び切り込みを介して縮径しつつ無段階で係入体と受穴とが弾性係止して組付けされる。
【００１２】
この手段によると、戸に穿設された貫通孔の両面から引手本体のケーシングとカバー本体の複数のガイドポストとを貫通孔の内壁にあてがって嵌入すると、指掛凹部の埋込側の外径と上下のガイドポストとで貫通孔に嵌め込みされると同時にカバー本体のガイドポストが貫通孔に嵌め込みされる。係入体を対向して設けられた受穴に係入すると、切り込みによる弾性作用によって係入体が縮径し、戸の厚み具合に応じて無段階で係入するので、引戸の厚みに応じて隙間のない状態で組み付けされる。その結果、弾性作用によって貫通孔の上下において係止された状態で一組の引手本体が組付けされ、戸に取付けされる。
また、この手段によると、引手の取付時に引手本体とカバー本体の向きを上下反転させても戸の両面から引手が取付けされるうえに、引手の運搬、保管が簡素化される。
【００１３】
（削除）
【００１４】
（削除）
【００１５】
（削除）
【００１６】
（削除）
【００１７】
（削除）
【００１８】
（削除）
【００１９】
（削除）
【００２０】
（削除）
【００２１】
また、請求項３において、係入体と受穴とが複数列設けられている。
【００２２】
この手段によると、引手は係入体と受穴との係止する位置が多くなるので、確実に係止されて引手は取付けされる。
【００２３】
また、請求項４において、複数列設けられた係入体と受穴とがそれぞれケーシング又はカバー部の対角に略対称形に設けられている。
【００２４】
この手段によると、引手の取付時に引手本体の向きを問わず引手は組付けされる。また、少なくとも４ヵ所で係入体と受穴とが係止し、確実に引手が取付けされる。
【００２５】
（削除）
【００２６】
（削除）
【００２７】
【発明の実施の形態】
以下、本発明の実施の形態を図面に基づいて説明する。図１〜図６は、引戸の両面に引手を取付ける場合の一実施の形態を示したものである。
【００２８】
引手１は、同一の形状を有する一組の引手本体２，３から概略構成される。引手本体２，３はそれぞれ全体が樹脂成形されるのが好ましい。
【００２９】
引手本体２は、表面に指掛凹部２２を有するケーシング２１とこのケーシング２１の表面に張り出しされるフランジ部２３とを有し、一組の引手本体２，３を組付けるための係入体２４、及びこの係入体２４の係入を受容する受穴２６とから構成される。
【００３０】
前記ケーシング２１は、指掛凹部２２の埋込側の外径となる外壁２１１と、係入体２４の基部の外径となるガイドポスト２１２と、受穴２６の外径となるガイドポスト２１３とを有する。図示するように、外壁２１１は貫通孔４１と左右方向に同一幅を有する平面視略矩形に形成することができ、ガイドポスト２１２，２１３はそれぞれ平面視円状に形成し、貫通孔４１の上下方向の内壁４２ａ，４２ｂと当接する位置に設けることができる。したがって、外壁２１１とガイドポスト２１２，２１３とが貫通孔４１の外径となり、それぞれ外径を同一のまま底面２１ａまで延長する。
【００３１】
係入体２４は、前記受穴２６と引手本体２の上下に対向してフランジ部２３の裏面２３ａから戸の厚み方向に向けて突設されたガイドポストに設けられる。本実施の形態においては、ケーシング２１の上壁２１ｂの方向に設けられたガイドポスト２１２から引戸４の厚みに対応させて突設させることができ、図示するように引手本体３のケーシング３１の厚みと略同寸にすることができる。係入体２４は円筒状に形成することができ、受穴３６の径よりも僅かに大径に形成することが好ましく、一方その剛性を保つために厚肉で形成するのが好ましい。また、図４に示すように、その先端には受穴３６への入り込みを容易にするために先端に向かって幅狭となる傾斜面２４ａを形成するのが好ましく、受穴３６への係入時に弾性変形をし易くするための切り込み２５を戸の厚み方向に沿って設け、断面略Ｃ字形に形成することができる。さらに、係入体２４の外周面には受穴３６への係入後に摩擦によって係止状態を保持するため、凸状の係止部２４ｂを形成することができる。
【００３２】
受穴２６は、係入体２４と上下に対向してフランジ部２３の裏面２３ａから戸の厚み方向に向けて突設されたガイドポストに設けられる。本実施の形態においては、ケーシング２１の下壁２１ｃの方向にケーシング２１の厚みと略同寸の長さを有して設けられたガイドポスト２１３を穿孔して設けることができる。
【００３３】
次に、引手１の引戸４への取付け動作について説明する。まず、引戸４には，引手本体２，３を取付ける位置に貫通孔４１を穿設する。貫通孔４１の両面からケーシング２１，３１を貫通孔４１の内壁４２に沿って嵌入させる。引手本体２，３に突設された係入体２４，３４は、それぞれ対となる引手本体３，２に設けられた受穴３６，２６の開口部３６ａ，２６ａから受穴３６，２６への係入を開始すると、傾斜面２４ａ，３４ａに案内されて受穴３６，２６へ侵入し、部材の弾性力及び切り込み２５，３５を介して縮径した状態となって無段階で係入する。そして、係入体２４，３４と受穴３６，２６とが弾性係止して引手本体２と引手本体３の組付けがなされる。係入体２４，３４及び受穴２６，３６とは引戸４の厚み方向に一定の長さを有し無段階で係入するので、引戸４の厚みに応じて引戸４の表面４３とフランジ部２３，３３の裏面２３ａ，３３ａとの間に隙間の生じない状態で係止される。なお、引手本体２，３を係止させた場合、係入体２４，３４の外周面に設けられた係止部２４ｂ，３４ｂと受穴２６，３６の内壁との摩擦によって、その係止状態が維持される。
【００３４】
以上より、本実施の形態によれば、引手１は一組の引手本体２，３を引戸４に穿設された貫通孔４１の両面から嵌入させ、係入体２４，３４をそれぞれに対向する受穴３６，２６に弾性力を利用して係止させるだけのワンタッチで、引手本体２と引手本体３とを組付けすることができる。また、係入体２４，３４と受穴２６，３６とがそれぞれ引戸４の厚み方向に一定の長さを有し、無段階で係入するので、引戸４の厚みに応じて引戸４の表面４３とフランジ部２３，３３の裏面２３ａ，３３ａとの間に隙間の生じない状態で引手本体２，３を組付けすることができる。
【００３５】
さらに、引手本体２，３の形状を同一形状としたことにより、一つの型で量産することができる。しかも、引手１の運搬、保管等についても簡素化が図られる。
【００３６】
図７は、引戸の一面に引手を取付ける場合の一実施の形態を示したものである。
【００３７】
本実施の形態における引手１は、引手本体２とカバー本体５とから概略構成される。なお、引手本体２については、前述の実施の形態と同様の構成を採用しているので説明を省略する。また、カバー本体５についても引手本体２と同様の形状等を有する構成部分については説明を省略する。
【００３８】
カバー本体５は、表面に平面状のカバー部５２を有するとともに対となる引手本体２のケーシング２１の外径位置に対応して突設される複数のガイドポスト５１と、一組の引手本体２，３を組付けるための係入体５４及び受穴５６とから構成される。なお、引手本体２と同様、カバー本体５についても全体が樹脂成形されるのが好ましい。
【００３９】
ガイドポスト５１は、引手１の取付けの際の位置決めのためにカバー本体５に複数設けられるものであって、本実施の形態においては、係入体５４の外径となるガイドポスト５１２と受穴５６の外径となるガイドポスト５１３とがカバー部５２の裏面から突設されている。図示するように、ガイドポスト５１２，５１３はそれぞれ平面視円状に形成し、貫通孔４１の上下方向の内壁４２ａ，４２ｂと当接する位置に設けることができる。したがって、ガイドポスト５１（５１２，５１３）は貫通孔４１の外径となり、その外径を同一のまま引戸４の厚みに対応させて延長する。そして、このガイドポスト５１に係入体５４と受穴５６とが設けられている。
【００４０】
次に、引手本体２とカバー本体５との取付け動作について説明する。引戸４に穿設した貫通孔４１の両面からケーシング２１とガイドポスト５１を貫通孔４１の内壁４２に沿って嵌入させる。係入体２４，５４は、それぞれ対となる引手本体２、カバー本体５の受穴５６，２６の開口部５６ａ，２６ａから受穴５６，２６への係入を開始すると、傾斜面２４ａ，５４ａに案内されて受穴５６，２６へ侵入し、部材の弾性力及び切り込み２５を介して縮径した状態となって無段階で係入する。その他の動作は、前述の実施の形態と同様であり、これにより、引手本体２とカバー本体５とが弾性係止して組付けされる。
【００４１】
以上より、本実施の形態によれば、収納用引戸の如く引戸の片面に引手を必要としないような場合においてもワンタッチで、貫通孔４１を閉塞させて引手本体２とカバー本体５とを組み付けることができる。
【００４２】
なお、本実施の形態においては、係入体５４と受穴５６の外径をガイドポスト５１として用いたが、引手本体２のケーシング２１を上下に切断した形状のガイドポストを取り付けたり、また引手本体２に備えられたケーシング２１と同様のケーシングを備える構成とすることもできる。
【００４３】
図８は、係入体についての他の実施の形態を示したものである。
【００４４】
本実施の形態は、引手本体６，７に係入体としてスプリングピン６４，７４を後付けで押込んだ引手１を示す。即ち、引手本体６について説明すると、フランジ部６３の裏面から戸の厚み方向に向けてケーシング６１の上下に設けられたガイドポスト６１２，６１３を穿孔して受穴６６，６７を設けることができる。この受穴６６，６７にそれぞれスプリングピン６４，７４が湾曲した状態で押し込みによって取り付けされる。
【００４５】
これによると、弾性を有するスプリングピン６４，７４を引手本体６に設けられ受穴６６，６７に押し込んだ後に引手本体６，７を引戸４に嵌入させることにより簡単に引手１を取り付けすることができる。
【００４６】
図９は、係入体と受穴についての他の実施の形態を示したものである。
【００４７】
上述の実施の形態においては、係入体と受穴とをそれぞれ単数設けたものを示したが、係入体８４、受穴８６をそれぞれ一つの引手本体８に対して複数個設けることもできる。即ち、係入体８４についてケーシング８１の上下に対角に位置するようにして係入体８４ａ，８４ｂを突設させる。一方、受穴８６についても係入体８４ａ，８４ｂに並設させて８６ａ，８６ｂを設けることができる。図示するように、係入体８４と受穴８６をケーシング８１の上下で対角で対称形となるように設けるのが好ましい。
【００４８】
これによると、係入体８４と受穴８６とがケーシング８１の対角にそれぞれ上下対称形となるように配置して並設させたので、引手本体８の上下方向を気にすることなく組付けすることができるとともに、このような構成とすることで、少なくとも４ヵ所で係止状態を得ることができるので、安定した状態で引手１の組付けを行うことができる。
【００４９】
【発明の効果】
請求項１記載の発明によれば、戸に穿設された貫通孔の両面から嵌入させ、弾性力を利用して係入体をそれぞれに対向する受穴に弾性係止させるだけのワンタッチで引手を戸の両面に簡単且つ正確に取付けることができるので、引手の取付け時間の短縮等、作業の効率化を図ることができる。しかも引手からくぎやねじ等を排除することができた。また、係入体と受穴とをそれぞれ戸の厚み方向に一定の長さを有して形成し、無段階で係入するので、戸の厚みに応じて、戸の表面とフランジ部との間に隙間の生じない安定した状態で引手本体を組付けすることができる。その際に、指掛凹部の埋込側の左右方向の外径となる外壁と上下のガイドポストとで貫通孔に嵌め込みすることができる。
【００５０】
また、請求項２記載の発明によれば、収納用引戸の如く引戸の片面に引手を必要としないような場合においてもワンタッチで、貫通孔を閉塞させて引手を取付けることができる。
【図面の簡単な説明】
【図１】  図１は、本発明に係る引手の一実施の形態を示す分解斜視図である。
【図２】  図２は、引手の引戸への取付け前の断面図である。
【図３】  図３は、引手の引戸への取付け後の断面図である。
【図４】  図４は、係入体の拡大側面図である。
【図５】  図４は、図２のＡ−Ａ線の断面図である。
【図６】  図６は、図３のＢ−Ｂ線の断面図である。
【図７】  図７は、本発明に係る引手の他の実施の形態を示す分解斜視図である。
【図８】  図８は、本発明に係る引手の他の実施の形態を示す斜視図である。
【図９】  図９は、本発明に係る引手の他の実施の形態を示す斜視図である。
【図１０】  図１０は、従来例を示す斜視図である。
【符号の説明】
１ 引手
２，３，６，７，８ 引手本体
４ 引戸
５ カバー本体
２１，３１ ケーシング
２２，３２ 指掛凹部
２３，３３ フランジ部
２４，３４，５４ 係入体
２５，３５，５５ 切り込み
２６，３６，５６，６６，
６７，７６，７７，８６ 受穴
４１ 貫通孔
５１ ガイドポスト
５２ カバー部
６４，７４ スプリングピン
【図１】
0003874446.tif 000002
【図２】
0003874446.tif 000003
【図３】
0003874446.tif 000004
【図４】
0003874446.tif 000005
【図５】
0003874446.tif 000006
【図６】
0003874446.tif 000007
【図７】
0003874446.tif 000008
【図８】
0003874446.tif 000009
【図９】
0003874446.tif 000010
【図１０】
0003874446.tif 000011